(57)【要約】      （修正有）【課題】複数の物品を収容するほぼ平行六面体形状の可撓性ガセットパッケージ、並びにパッケージの製造に適したパッケージブランク及びウィケット袋を提供する。【解決手段】パッケージは、前面１４と、前面１４の反対側の後面１５と、継ぎ目がない第１の表面１０と、第１の表面１０の反対側の第２の表面であって、閉じ継ぎ目を有する、第２の表面と、対向対の第３及び第４の表面１２、１３であって、第１の側部継ぎ目及び第２の側部継ぎ目をそれぞれ有する、第３及び第４の表面１２、１３と、それぞれが第３及び第４の表面１２、１３にそれぞれ配置されている一対の側部マチと、第２の表面に配置された一対の閉じマチと、を備え、表面がパッケージの内部区画を共同的に画定し、パッケージが、内部区画に面するフィルム層と、紙層と、を含む積層体を含み、第２の表面が、閉じ継ぎ目が形成される、フィルム層で本質的に構成された領域を含む。【選択図】図１Ａ
2019059552.tif 000002
【特許請求の範囲】
【請求項１】
複数の物品を収容する、長さと幅と高さとを有するパッケージであって、前記パッケージは、
前面と、
前記前面の反対側の後面と、
前記前面及び前記後面に隣接し、継ぎ目がない第１の表面と、
前記第１の表面の反対側の第２の表面であって、前記パッケージの幅の方向に沿って延びる閉じ継ぎ目を有する、第２の表面と、
前記第１及び第２の表面にそれぞれ隣接した、対向対の第３及び第４の表面であって、前記パッケージの高さの方向に沿って延びる第１の側部継ぎ目及び第２の側部継ぎ目をそれぞれ有する、第３及び第４の表面と、
それぞれが前記第３及び第４の表面にそれぞれ配置されている一対の側部マチと、
前記第２の表面に配置された一対の閉じマチと、を備え、
前記表面が前記パッケージの内部区画を共同的に画定し、
前記パッケージが、前記内部区画に面するフィルム層と、紙層と、を含む積層体を含み、
前記第２の表面が、前記閉じ継ぎ目が形成される、前記フィルム層で本質的に構成されている領域を含む、パッケージ。
【請求項２】
前記パッケージが、第１の紙層と、第２の紙層と、前記第１の紙層と前記第２の紙層との間に挟まれたフィルム層と、を含む積層体を含む、請求項１に記載のパッケージ。
【請求項３】
前記第２の表面が、４枚重ね部分を含む、請求項１又は２に記載のパッケージ。
【請求項４】
前記第１及び第２の側部継ぎ目のそれぞれが、前記第１及び第２の側部マチ内に４枚重ね部分をそれぞれ含み、前記４枚重ね部分が２層の内側層と２層の外側層とを有し、前記２層の内側層のそれぞれが、前記フィルム層で構成された領域を含む、請求項１〜３のいずれか一項に記載のパッケージ。
【請求項５】
前記第１の表面のそれぞれが、前記フィルム層で構成された領域を含む、請求項４に記載のパッケージ。
【請求項６】
前記第１及び前記第２の側部継ぎ目のそれぞれが、２枚重ね部分からなる、請求項１に記載のパッケージ。
【請求項７】
前記積層体がパターンを含む、請求項１〜６のいずれか一項に記載のパッケージ。
【請求項８】
前記紙層がパターンを含む、請求項７に記載のパッケージ。
【請求項９】
前記紙層が天然紙を含む、請求項１〜８のいずれか一項に記載のパッケージ。
【請求項１０】
前記物品が吸収性物品である、請求項１〜９のいずれか一項に記載のパッケージ。
【請求項１１】
前記パッケージが吸収性物品を含み、約１１０ｍｍ未満のバッグ内スタック高さを有する、請求項１〜１０のいずれか一項に記載のパッケージ。
【請求項１２】
前記吸収性物品が、おむつ、成人用失禁パンツ、又はトレーニングパンツである、請求項１１に記載のパッケージ。
【請求項１３】
複数の物品を収容するためのパッケージに形成可能なパッケージブランクであって、
前記パッケージブランクは、一対の側縁部を有し、
前記パッケージが、
前面と、
前記前面の反対側の後面と、
前記前面及び前記後面に隣接し、継ぎ目がない第１の表面と、
前記第１の表面の反対側の第２の表面であって、前記パッケージの幅の方向に沿って延びる閉じ継ぎ目を有する、第２の表面と、
前記第１及び第２の表面にそれぞれ隣接した、対向対の第３及び第４の表面であって、前記パッケージの高さの方向に沿って延びる第１の側部継ぎ目及び第２の側部継ぎ目をそれぞれ有する、第３及び第４の表面と、
それぞれが前記第３及び第４の表面にそれぞれ配置されている一対の側部マチと、
前記第２の表面に配置された一対の閉じマチと、を備え、
前記表面が前記パッケージの内部区画を共同的に画定し、
前記パッケージブランクが、
前記前面と前記第３及び第４の表面のそれぞれの一部とを形成する第１のパネルと、
前記後面と前記第３及び第４の表面のそれぞれの一部とを形成する第２のパネルと、
前記第１のパネルと前記第２のパネルとの間に配置された第３のパネルであって、前記第１の表面と前記一対の側部マチとを形成し、２つの対向する側縁部を含む、第３のパネルと、
前記第１のパネルに隣接し、前記第３のパネルの反対側に位置する第４のパネルであって、前記第２の表面の一部と前記一対の閉じマチの一部とを形成する、第４のパネルと、
前記第２のパネルに隣接し、前記第３のパネルの反対側に位置する第５のパネルであって、前記第２の表面の一部と前記一対の閉じマチの一部とを形成する、第５のパネルと、を備え、
前記パッケージブランクが、フィルム層と紙層とを含む積層体を含み、
前記第３のパネルが、前記側縁部のそれぞれに隣接した領域を含み、前記領域は、前記フィルム層で本質的に構成され、
前記第４及び第５のパネルのそれぞれが、前記フィルム層で本質的に構成された、前記パッケージブランクが前記パッケージに変換されるときに前記閉じ継ぎ目が形成される領域を含む、パッケージブランク。
【請求項１４】
前記パッケージブランクが、第１の紙層と、第２の紙層と、前記第１の紙層と前記第２の紙層との間に挟まれたフィルム層と、を含む積層体を含む、請求項１３に記載のパッケージブランク。
【請求項１５】
前記第３のパネルが、前記フィルム層で本質的に構成されている、請求項１３又は１４に記載のパッケージブランク。
【請求項１６】
複数の物品を収容するためのパッケージに形成可能なパッケージブランクであって、
前記パッケージブランクは、一対の側縁部を有し、
前記パッケージが、
前面と、
前記前面の反対側の後面と、
前記前面及び前記後面に隣接し、継ぎ目がない第１の表面と、
前記第１の表面の反対側の第２の表面であって、前記パッケージの幅の方向に沿って延びる閉じ継ぎ目を有する、第２の表面と、
前記第１及び第２の表面にそれぞれ隣接した、対向対の第３及び第４の表面であって、前記パッケージの高さの方向に沿って延びる第１の側部継ぎ目及び第２の側部継ぎ目をそれぞれ有する、第３及び第４の表面と、
それぞれが前記第３及び第４の表面にそれぞれ配置されている一対の側部マチと、
前記第２の表面に配置された一対の閉じマチと、を備え、
前記表面が前記パッケージの内部区画を共同的に画定し、
前記パッケージブランクが、
前記前面と前記第３及び第４の表面のそれぞれの一部とを形成する第１のパネルと、
前記後面と前記第３及び第４の表面のそれぞれの一部とを形成する第２のパネルと、
前記第１のパネルと前記第２のパネルとの間に配置された第３のパネルであって、前記第１の表面と前記一対の側部マチとを形成し、陥凹した側縁部を含む、第３のパネルと、
前記第１のパネルに隣接し、前記第３のパネルの反対側に位置する第４のパネルであって、前記第２の表面の一部と前記一対の閉じマチの一部とを形成する、第４のパネルと、
前記第２のパネルに隣接し、前記第３のパネルの反対側に位置する第５のパネルであって、前記第２の表面の一部と前記一対の閉じマチの一部とを形成する、第５のパネルと、を備え、
前記パッケージブランクが、フィルム層と紙層とを含む積層体を含み、
前記第４及び第５のパネルのそれぞれが、前記フィルム層で本質的に構成された、前記パッケージブランクが前記パッケージに変換されるときに前記閉じ継ぎ目が形成される領域を含む、パッケージブランク。
【請求項１７】
前記パッケージブランクが、第１の紙層と、第２の紙層と、前記第１の紙層と前記第２の紙層との間に挟まれたフィルム層と、を含む積層体を含む、請求項１８に記載のパッケージブランク。
【請求項１８】
ほぼ直方体の形状を有する折り畳まれていないパッケージ形態に変換することができる、ほぼ折り畳まれた平坦な形状を有するウィケット袋であって、前記ウィケット袋は、長さと幅と、前記長さに沿った側縁部とを有し、前記ウィケット袋は、フィルム層と紙層とを含む積層体を含み、
前記ウィケット袋は、
第１の側縁部及び第２の側縁部を有する第１のパネルと、
前記第１のパネルの反対側に位置し、第１の側縁部及び第２の側縁部を有する第２のパネルであって、前記第１のパネルと前記第２のパネルとは前記第１及び第２の側縁部に沿って互いに接続されている、第２のパネルと、
前記第１のパネルと前記第２のパネルとの間に配置され、第１の側縁部及び第２の側縁部を有する第３のパネルと、
前記第１のパネルに隣接し、前記第３のパネルの反対側に位置する第４のパネルと、
前記第２のパネルに隣接し、前記第３のパネルの反対側に位置する第５のパネルと、
前記第５のパネルに隣接し、前記第３のパネルの反対側に位置するウィケットパネルと、を備え、
前記第４及び第５のパネルのそれぞれが、前記フィルム層で本質的に構成された、前記ウィケット袋が前記パッケージに変換されるときに継ぎ目が形成される領域を含み、
前記ウィケット袋が、２枚重ね部分と、前記ウィケットの長さ方向に沿って延びる４枚重ね部分とを含み、前記２枚重ね部分が第１及び第２の層を含み、前記４枚重ね部分が第１及び第２の外側層と第１及び第２の内側層とを含み、
前記２枚重ね部分の前記第１の層と前記４枚重ね部分の前記第１の外側層とが前記第１のパネルを形成し、
前記２枚重ね部分の前記第２の層と前記４枚重ね部分の前記第２の外側層とが前記第２のパネルを形成し、
前記４枚重ね部分の前記第１及び第２の内側層が前記第３のパネルを形成し、
前記第３のパネルが、前記第３のパネルの前記第１及び第２の側縁部のそれぞれに隣接し、前記第１及び第２の側部継ぎ目のそれぞれが形成される領域を有し、前記領域は、前記フィルム層で本質的に構成されている、ウィケット袋。
【請求項１９】
前記第３のパネルが、前記フィルム層で本質的に構成されている、請求項１８に記載のウィケット袋。
【請求項２０】
ほぼ直方体の形状を有する折り畳まれていないパッケージ形態に変換することができる、ほぼ折り畳まれた平坦な形状を有するウィケット袋であって、前記ウィケット袋は、長さと幅と、前記長さに沿った側縁部とを有し、前記ウィケット袋は、フィルム層と紙層とを含む積層体を含み、
前記ウィケット袋は、
第１の側縁部及び第２の側縁部を有する第１のパネルと、
前記第１のパネルの反対側に位置し、第１の側縁部及び第２の側縁部を有する第２のパネルであって、前記第１のパネルと前記第２のパネルとは前記第１及び第２の側縁部に沿って互いに接続されている、第２のパネルと、
前記第１のパネルと前記第２のパネルとの間に配置され、第１の側縁部及び第２の側縁部を有する第３のパネルと、
前記第１のパネルに隣接し、前記第３のパネルの反対側に位置する第４のパネルと、
前記第２のパネルに隣接し、前記第３のパネルの反対側に位置する第５のパネルと、
前記第５のパネルに隣接し、前記第３のパネルの反対側に位置するウィケットパネルと、を備え、
前記第４及び第５のパネルのそれぞれが、前記フィルム層で本質的に構成された、前記ウィケット袋が前記パッケージに変換されるときに継ぎ目が形成される領域を含み、
前記ウィケット袋が、２枚重ね部分と、前記ウィケットの長さ方向に沿って延びる４枚重ね部分とを含み、前記２枚重ね部分が第１及び第２の層を含み、前記４枚重ね部分が第１及び第２の外側層と第１及び第２の内側層とを含み、
前記２枚重ね部分の前記第１の層と前記４枚重ね部分の前記第１の外側層とが前記第１のパネルを形成し、
前記２枚重ね部分の前記第２の層と前記４枚重ね部分の前記第２の外側層とが前記第２のパネルを形成し、
前記４枚重ね部分の前記第１及び第２の内側層が前記第３のパネルを形成し、
前記第３のパネルの前記第１及び第２の側縁部が、前記第１の側部継ぎ目と前記第２の側部継ぎ目との間で陥凹している、ウィケット袋。
【請求項２１】
前記ウィケット袋が、第１の紙層と、第２の紙層と、前記第１の紙層と前記第２の紙層との間に挟まれたフィルム層と、を含む積層体を含む、請求項２０に記載のウィケット袋。
【発明の詳細な説明】
【技術分野】
【０００１】
本発明は、マチ及び継ぎ目を有する、複数の物品を収容するほぼ平行六面体形状のパッケージ、その製造に適したパッケージブランク及びウィケット袋に関する。
【背景技術】
【０００２】
使い捨て吸収性物品（例えば、おむつ及びトレーニングパンツ、使い捨て成人用失禁パンツ、並びに女性用衛生パッド）などの、壊れにくく、圧縮可能な消費者製品はしばしば、箱、容器、袋、ブリスターパック、カートンなどの保護パッケージ内にパッケージングされて小売販売（すなわち、小売店で陳列販売）されている。消費者製品用のパッケージは、保護を与える以外に、消費者が立ち止まり、パッケージングされた製品の購入を検討できるように、魅力的でかつ人目を惹くものであることが求められる。
【０００３】
可撓性パッケージは、可撓性吸収性物品のパッケージングに広く使用されている。可撓性パッケージは、一般的に第１及び第２の対向する側面を有している。第１の側面は継ぎ目を有さずともよく、第２の側面は、それぞれが第２の側面の両側に配置された一対のマチを有する。可撓性パッケージはまた、前面及び後面、並びに第１及び第２の側部継ぎ目をそれぞれ有する第３及び第４の対向する側面も有している。可撓性パッケージはまた、第３及び第４の側面に配置された第１及び第２の側部マチも有している。
【０００４】
かかるパッケージは、加熱エネルギーを加えることによってフィルムの一部を継ぎ目に沿って溶融及び融合して貼り合わされた、１つ以上のポリマーフィルムのシートで形成することができる。
【０００５】
パッケージ材料は、パッケージが外部環境から収容する物品の保護といったその基本的機能以外に、パッケージの美的印象にも影響する。ポリマーフィルムのシートにより形成されたパッケージの外面は光沢のある外観を有するが、一部の部分では、コスト並びに低い空気及び透湿性などの多くの有益な側面にもかかわらず、消費者によって好まれない傾向にある。
【０００６】
フィルム層と紙層とを有する積層体は、特に紙層がパッケージの外表面を形成する場合に、暖かく、自然な風合いを消費者に伝える。このような紙層を有する積層体は、消費者に好まれる自然で、かつ手作りの職人技の風合いを与えることができる。特開２００５−４１５２７号は、合成樹脂フィルムをラミネートしたクラフト紙で作製された紙袋を開示している。特開２００８−１８９５９号は、物品を収納するための空間が形成された円筒体と、該円筒体の両端開口部に取り付けられて開口部を封止する封止部とを有する包装体を開示している。この包装体では、円筒体は紙材料で形成され、封止部は熱可塑性合成樹脂フィルムで形成される。
【先行技術文献】
【特許文献】
【０００７】
【特許文献１】特開２００５−４１５２７号
【特許文献２】特開２００８−１８９５９号
【発明の概要】
【発明が解決しようとする課題】
【０００８】
柔軟性、滑らかさ、及び他の触覚的印象などの消費者にとって望ましい知覚的特徴を有し、出荷及び取り扱いに充分な耐久性を有する一方で視覚的審美的訴求力を与えるパッケージが求められている。
【０００９】
自然で、かつ手作りの職人技の風合いを伝えることができるパッケージが求められている。
【００１０】
更に、店頭で消費者の目を惹きつける好ましい外観を与える消費者製品のパッケージが依然、求められている。
【課題を解決するための手段】
【００１１】
本発明は、複数の物品を収容するほぼ平行六面体形状の可撓性ガセットパッケージであって、前面と、前面の反対側の後面と、前面及び後面に隣接し、継ぎ目がない第１の表面と、第１の表面の反対側の第２の表面であって、閉じ継ぎ目を有する、第２の表面と、第１及び第２の表面にそれぞれ隣接した、対向対の第３及び第４の表面であって、第１の側部継ぎ目及び第２の側部継ぎ目をそれぞれ有する、第３及び第４の表面と、それぞれが第３及び第４の表面にそれぞれ配置されている一対の側部マチと、第２の表面に配置された一対の閉じマチと、を備え、表面がパッケージの内部区画を共同的に画定し、パッケージが、内部区画に面するフィルム層と、紙層と、を含む積層体を含み、第２の表面が、閉じ継ぎ目が形成される、フィルム層で本質的に構成された領域を含む。
【００１２】
本発明は、本発明に係るパッケージを形成するうえで適当なパッケージブランクであって、前面と第３及び第４の表面のそれぞれの一部とを形成する第１のパネルと、後面と第３及び第４の表面のそれぞれの一部とを形成する第２のパネルと、第１のパネルと第２のパネルとの間に配置された第３のパネルであって、第１の表面と一対の側部マチとを形成する、第３のパネルと、第１のパネルに隣接し、第３のパネルの反対側に位置する第４のパネルであって、第２の表面の一部と一対の閉じマチの一部とを形成する、第４のパネルと、第２のパネルに隣接し、第３のパネルの反対側に位置する第５のパネルであって、第２の表面の一部と一対の閉じマチの一部とを形成する、第５のパネルと、を備える、パッケージブランクも提供する。第３のパネルは、陥凹した側縁部を含むか、又はその側縁部のそれぞれに隣接して、フィルム層で構成された領域を含む。第４及び第５のパネルのそれぞれは、フィルム層で本質的に構成された、パッケージブランクがパッケージに変換されるときに閉じ継ぎ目が形成される領域を含む。
【００１３】
本発明は、本発明に係るパッケージを形成するうえで適当なウィケット袋であって、ウィケット袋は、第１の側縁部及び第２の側縁部を有する第１のパネルと、第１のパネルの反対側に位置し、第１の側縁部及び第２の側縁部を有する第２のパネルであって、第１のパネルと第２のパネルとは第１及び第２の側縁部に沿って互いに接続されている、第２のパネルと、第１のパネルと第２のパネルとの間に配置され、第１の側縁部及び第２の側縁部を有する第３のパネルと、第１のパネルに隣接し、第３のパネルの反対側に位置する第４のパネルと、第２のパネルに隣接し、第３のパネルの反対側に位置する第５のパネルと、を備え、ウィケット袋は、フィルム層と紙層とを含む積層体を含み、第４及び第５のパネルのそれぞれが、フィルム層で本質的に構成された、パッケージブランクがパッケージに変換されるときに継ぎ目が形成される領域を含み、ウィケット袋は、第１のパネルの一部と第２のパネルの一部とによって形成される２枚重ね部分と、第１のパネルの一部と第２のパネルの一部と第３のパネルとによって形成される４枚重ね部分とを有する、ウィケット袋も提供する。第３のパネルは、陥凹した側縁部を含むか、又はその側縁部のそれぞれに隣接して、フィルム層で構成された領域を含む。第４及び第５のパネルのそれぞれは、フィルム層で本質的に構成された、ウィケット袋がパッケージに変換される際に閉じ継ぎ目が形成される領域を含む。
【００１４】
本発明のこれら及び他の特徴、態様、及び利点は、本開示を通読することで当業者には明らかとなろう。
【図面の簡単な説明】
【００１５】
【図１Ａ】本発明に係るパッケージを形成することができる可撓性開口袋構造体の斜視図である。
【図１Ｂ】本発明に係る例示的なパッケージの斜視図である。
【図１Ｃ】図１Ｂに示されるパッケージの別の斜視図である。
【図２】複数の吸収性物品を収容した本発明のパッケージの側面図である。
【図３】本発明の例示的なパッケージブランクの正面図である。
【図４】本発明の別の例示的なパッケージブランクの正面図である。
【図５】本発明の別の例示的なパッケージブランクの正面図である。
【図６Ａ】本発明の例示的な折り畳まれたウィケット袋の正面図である。
【図６Ｂ】Ａ−Ａ線に沿った、図６Ａのウィケット袋の断面図である。
【発明を実施するための形態】
【００１６】
全ての範囲は、包括的かつ組み合わせ可能である。有効桁数は、示される量に対しても、測定値の精度に対しても、限定を示すものではない。特に別段の指示がない限り、全ての数量は、単語「約」によって修飾されるものと理解される。
【００１７】
本明細書で使用する場合、用語「吸収性物品」は、身体排泄物を吸収し収容する装置を指し、より具体的には、着用者の身体に当てて又は着用者の身体に近接して配置されて、身体から排泄された様々な排泄物を吸収し収容する装置を指す。本発明の典型的な吸収性物品としては、おむつ、成人用失禁ブリーフ、トレーニングパンツ、おむつホルダー、及びライナー、吸収性挿入物品など、並びに、生理用ナプキン、及びパンティライナーなどといった婦人用衛生製品が挙げられるが、これらに限定されない。また、吸収性物品としては、家庭用洗浄拭き取り用品、乳児用拭き取り用品なども挙げられる。
【００１８】
本明細書で使用する場合、「〜を含む（Comprise、Comprises）」、及び「含んでいる（Comprising）」は非限定的な用語であり、例えば構成要素などの、後に続くものの存在をそれぞれ特定するが、他の特徴、例えば当該技術分野において既知の又は本明細書に開示される要素、工程、又は構成要素の存在を除外しない。
【００１９】
本明細書で使用する場合、「からなる（Consist(s) of）」、及び「からなっている（consisting of）」は限定的な用語であり、例えば構成要素などの、後に続くものの存在をそれぞれ特定し、かつ、他の特徴、例えば当該技術分野において既知の又は本明細書に開示される要素、工程、又は構成要素の存在を除外する。フィルム層と紙層とを有する積層体に関して直接用いられる場合、「〜からなる（consist(s) of）」、及び「〜から本質的になる（essentially consist(s) of）」、「〜からなる（consisting of）」、及び「〜から本質的になる（essentially consisting of）」とは、積層体が紙層を含まず、フィルム層のみを含むことを意味する。
【００２０】
本明細書で使用するところの「前側」、「後側」、「外側」、「内側」、「長手方向」、「横方向」、「上部」、「側部」、「底部」といった表現は、可撓性パッケージを記述するために使用される場合、例えば図に示されるように、下部を下に向け、上部を上に向けた運搬位置にある充填されたパッケージに関する。これらの用語の一部のものは、可撓性パッケージを製造する方法に関しても用いられる。
【００２１】
「側縁部」とは、パッケージブランク又はウィケット袋を記述するために使用される場合、ブランク又はウィケット袋の長さ方向に平行な縁部を意味する。
【００２２】
「フィルム」とは、長さ、幅及び厚さ（キャリパー）を有するシート構造体であって、長さ及び幅のそれぞれが厚さを大幅に上回る、すなわち１０００倍以上であり、各層が１つ以上の熱可塑性ポリマー樹脂（それらのブレンドを含む）で形成された実質的に連続した構造体である１層（単層）又は複数のそれぞれの隣接層（多層）を有する構造体を意味する。
【００２３】
パッケージ
本発明は、複数の物品を収容する実質的に平行六面体形状の可撓性ガセットパッケージであって、内部区画に面したフィルム層と紙層とを含む積層体を含むパッケージを提供する。本発明に係るパッケージは、柔軟性、滑らかさ、及び他の触覚的印象などの消費者にとって望ましい知覚的特徴を提供し、出荷及び取り扱いに充分な耐久性を有する一方で視覚的審美的訴求力を与えることができる。本パッケージは、紙層に紙又は紙様材料を使用することで、自然で、かつ手作りの職人技の風合いを伝えることができる。
【００２４】
図１Ａ〜１Ｃを参照すると、本発明に係る例示的なパッケージ１及びパッケージ１を製造するのに適した可撓性開口袋４は、物品を充填するときにパッケージ１が平行六面体形状を取り得るように、可撓性を有する、フィルム層と紙層とを含む積層体を含む。
【００２５】
パッケージ１の製造は、紙層、フィルム層、及び紙層を有さない領域を含む部分積層体ストックの単一のシートから開始することができる。積層体は、袋マチ１２ｂ、１３ｂを形成するように適当に折り畳まれた後、対向する側面上の２つの側部継ぎ目１２ａ、１３ａを形成するように接着されることにより各部分に沿って接合されることで、第１の表面１０、第３及び第４の表面１２、１３、並びに前面１４、後面１５を有する袋構造体４（例えばガセット袋構造体）を形成しており、第１の表面１０には継ぎ目がなく、他端４８は開放している。各側部マチ１２ｂ、１３ｂは、第３及び第４の表面１２、１３にそれぞれ配置されている。図１Ｃを参照すると、パッケージは、長さＰＨ、幅ＰＷ、及び高さＰＨを有している。
【００２６】
いくつかの実施形態では、パッケージ１の第３及び第４の表面１２、１３のそれぞれは、側部マチ１２ｂ、１３ｂに、側部継ぎ目１２ａ、１３ａが形成された４枚重ね部分を有している。側部継ぎ目１２ａ、１３ａの４枚重ね部分は、２層の内側層と２層の外側層とを有しており、２層の内側層のそれぞれは、フィルム層からなる領域を含んでいる。実施形態の１つでは、２つの内側層のそれぞれがフィルム層で構成される。これらの実施形態において、第１の表面は、フィルム層で構成された領域を含むことができる。実施形態の１つでは、第１の表面は、フィルム層で構成することができる。
【００２７】
別の実施形態では、パッケージ１の第３及び第４の表面１２、１３のそれぞれは、２枚重ね部分で構成される。この実施形態では、第１及び第２の側部継ぎ目のぞれぞれは、２層の積層体層からなる２枚重ね部分である。
【００２８】
引き続き図１Ｂ及び１Ｃを参照すると、パッケージ１の第２の表面１１は、閉じ継ぎ目１１ａに沿った閉じマチ１１ｂの４枚重ね部分と、閉じ継ぎ目１１ａに沿った２枚重ね部分とを有しており、第２の表面は、閉じ継ぎ目１１ａが形成されたフィルム層で構成された領域を含んでいる。
【００２９】
袋４は、開口端４８から吸収性物品の積み重ねなどの物品を挿入することによって充填することができる。図１Ｂ及び１Ｃから理解され得るように、次に、第１の表面１０の反対側の開放端４８を適当に折り畳んで閉じマチ１１ｂを形成することによって閉じ、部分積層体の縁同士を合わせ、それらを互いに接着して閉じ継ぎ目１１ａと、閉じ継ぎ目１１ａ及び第２の表面１１から延びる閉じ継ぎ目フィン１１ｃとを形成することができる。例えば、開放端４８から物品を入れることによって袋４に複数の物品が充填されるとき、袋４の中に物品を導入するために用いられる適当な装置と物品とによって、袋４の第３及び第４の表面１２、１３のそれぞれにいくらかの張力が作用し得る。物品は、袋４に挿入される前に圧縮されている場合、袋４に導入された後、わずかに膨らむ場合があるため、第３及び第４の表面１２、１３にいくらかの張力が作用する。この張力は、特に、それによってパッケージがほぼ平行六面体の形状を維持することができる第１及び第２の側部継ぎ目１２ａ、１３ａに沿って、第３及び第４の表面１２、１３のそれぞれのマチ１２ｂ、１３ｂのそれぞれに作用する。
【００３０】
袋４及びパッケージ１の寸法は適宜選択することができ、デザイン、折り曲げ、積み重ね、圧縮及びパッケージングプロセスによって実現することができるため、パッケージ１が製品を保持し、かつ、パッケージ１の、きちんと整った、安定したほぼ平行六面体の形状、すなわち、直方体形状を維持する。
【００３１】
一実施形態では、第１の表面１０を、図１Ｃに示すようにパッケージ１の上面にすることができる。別の実施形態では、第１の表面１０をパッケージ１の底面とすることができる。
【００３２】
本発明のパッケージは、フィルム層と紙層とを含む積層体を含む。積層体は、あるパターンを有することができる。本明細書における「パターン」とは、色、形態、テクスチャ、又はそれらの任意の組み合わせによる可視光の空間的変化のコントラストによる、可視光の空間的変化の個人による知覚を述べるために使用される。このパターンは、印刷、エンボス加工、又は積層体の製造方法によって形成することができる。一実施形態では、紙層がパターンを有し、別の実施形態では、フィルム層がパターンを有する。
【００３３】
本発明のパッケージは、キャリングハンドルを含み得る。１つの例では、キャリングハンドルはフィルムのストラップで形成することができる。ストリップは、パッケージの一部に任意の適当な機構によって接合することができる。別の例では、図１Ｂを参照し、キャリングハンドルは、閉じ継ぎ目１１ａから延びる閉じ継ぎ目フィン１１ｃの延長部で形成することができる。
【００３４】
パッケージは、例えば圧縮された使い捨て吸収性物品などの、複数の圧縮物品を含むことができる。例えば、本発明のパッケージ１は、複数の生理用ナプキン又はおむつを収容するために使用することができる。吸収性物品は折り畳まれてもよく、複数の折り畳まれた物品をパッケージ内部で１つ以上の列に配置することもできる。吸収性物品は、パッケージのサイズを低減するように圧縮下で包装されてもよく、１パッケージ当たり妥当な量の吸収性物品を依然として提供してもよい。吸収性物品を圧縮下で包装することによって、介護者は、パッケージを容易に扱い保管することができると共に、パッケージのサイズによる流通コストの削減を製造業者にもたらすことができる。
【００３５】
したがって、本開示の吸収性物品のパッケージは、本明細書に記載のバッグ内スタック高さテストによるバッグ内スタック高さが、約１１０ｍｍ未満、約１０５ｍｍ未満、約１００ｍｍ未満、約９５ｍｍ未満、約９０ｍｍ未満、約８５ｍｍ未満、約８０ｍｍ未満、約７８ｍｍ未満、約７６ｍｍ未満、約７４ｍｍ未満、約７２ｍｍ未満、又は約７０ｍｍ未満であってもよく、具体的には、指定した範囲内、及びその範囲内で又はその範囲によって形成される全範囲内の、全ての０．１ｍｍ刻みを含む。あるいは、本開示の吸収性物品のパッケージは、本明細書に記載のバッグ内スタック高さテストによるバッグ内スタック高さが、約７０ｍｍ〜約１１０ｍｍ、約７０ｍｍ〜約１０５ｍｍ、約７０ｍｍ〜約１００ｍｍ、約７０ｍｍ〜約９５ｍｍ、約７０ｍｍ〜約９０ｍｍ、約７０ｍｍ〜約８５ｍｍ、約７２ｍｍ〜約８０ｍｍ、又は約７４ｍｍ〜約７８ｍｍであってもよく、具体的には、指定した範囲内、及びその範囲内で又はその範囲によって形成される全範囲の、全ての０．１ｍｍ刻みを含む。
【００３６】
図２は、複数の吸収性物品１００４を含む例示的なパッケージ１を示している。マチは図２には示されていない。パッケージ１は、複数の吸収性物品１００４が置かれる内部空間１００２を画定している。複数の吸収性物品１００４は、１つ以上のスタック１００６として配置されている。
【００３７】
積層体
本発明に係るパッケージ、並びにパッケージを形成するのに適したパッケージブランク及びウィケット袋は、フィルム層と紙層とを含む積層体を含む。積層体は、パッケージに物品が充填されると平行六面体形状となり得るような可撓性を有する。積層体は、フィルム層からなる領域を更に含む。
【００３８】
一実施形態では、本発明のパッケージ、又はパッケージを形成するのに適したブランク及びウィケット袋は、第１の紙層、第２の紙層、及び第１の紙層と第２の紙層との間に挟まれたフィルム層を含む積層体を含む。
【００３９】
フィルム層
積層体におけるフィルム層は、単一層（単層）であってもよいし、２層、３層、又はそれよりも多い層（多層）であってもよい。多層フィルムは、例えば、第１のポリマーで形成された第１のスキン層と、第２のポリマーで形成された第２のスキン層とを有することができる。
【００４０】
本明細書に述べられるもののような用途では、多層フィルムが好ましい場合がある。多層フィルムは、フィルムに付与する特性について特に選択されたポリマー組成物の層を有することができる。例えば、１層又は２層のスキン層は、例えば表面光沢、印刷可能性、滑らかな感触、柔軟性、低騒音発生性（消費者により取り扱い及び操作される際の）、比較的低い融点及び融合性／溶接性、又はこれらの特性の任意の組み合わせについて選択された組成物で形成することができる。１層以上の中間層を、例えば、引張強度、剛性、靱性、配合されるリサイクル材料の添加の適当性、環境に優しい、及び／又は時速可能な材料の供給性、比較的高い融点、隣接層との共押出適合性（共押出時に層間の強い結合が生じるような）、又はこれらの特性の任意の組み合わせについて選択された組成物で形成することもできる。図１Ｂ及び１Ｃに示されるような構成を有するパッケージは、フィルムがそれ自体に両面で（概ね外側のフィルム表面上でマチ１１ｂ、１２ｂ、及び１３ｂにおいて、及び概ね内側のフィルム表面上で継ぎ目１１ａ、１２ａ、１３ａのそれ以外の全ての部分に沿って）溶着される必要がある点は理解されよう。
【００４１】
多層フィルムは、第１の外側スキン層、第２の外側スキン層、及び／又はこれらのスキン層の間に配置された中間層を含むことができる。
【００４２】
各層は、ベースポリマーを含むことができる。ベースポリマーとしては、ポリオレフィン、特にポリエチレン、ポリプロピレン、ポリブタジエン、少なくとも１つのオレフィン性構成成分を有するポリプロピレン／エチレンインターポリマー及びコポリマー、並びにこれらの任意の混合物を挙げることができる。
【００４３】
ポリマー使用の経済性とフィルムの引張強度の最大化とのバランスを取るには、フィルムの全体のキャリパーを、４０μｍ〜１００μｍ、より好ましくは５０μｍ〜９０μｍ、更により好ましくは６０μｍ〜８０μｍの範囲内とすることが望ましい場合がある。
【００４４】
積層体中のフィルム層は、少量の１種以上の添加剤を含んでもよい。想到される添加剤の種類のいくつかの非限定例として、香料、染料、顔料、ナノ粒子、帯電防止剤、充填剤、及びこれらの組み合わせが挙げられる。
【００４５】
紙層
紙層に関連する、本明細書で使用される「紙」とは、合成紙のみでなく、天然紙も含むものとする。天然紙は、綿、絹、羊毛、麻、パルプなどの天然繊維を含む組成物；又はレーヨン、キュプラなどの再生繊維から製造することができる。例えば、紙層はセルロース系繊維を含む。本明細書で使用する場合用語「セルロース系繊維」とは、特に異なるものとして指定されない限りは、パルプ及び綿などのセルロース繊維と、レーヨンなどの再生セルロース繊維との両方を含むものとする。合成紙は、ポリエチレン及びポリプロピレンなどのプラスチック繊維を含む組成物から製造することができる。天然紙の例としては、Ｍｉ  Ｓｕｎｇ  Ｐａｐｅｒ  ＣＯ社（韓国）より販売されるＣＯＬＯＲ  ＳＩＬＫ  ＰＡＰＥＲが挙げられる。
【００４６】
紙層の坪量は約１０ｇｓｍ〜約２００ｇｓｍの範囲とすることができる。紙の種類及び適切な坪量は、パッケージの用途領域、ラミネート加工の加工性、ウィケット袋折り、及び／又はパッケージ折りプロセスに応じて選択することができる。
【００４７】
フィルム層と紙層とを含む積層体は、フィルム層と紙層とを接着剤を用いて互いに貼り合わせることにより製造することができる。適当な接着剤としては、これらに限定されるものではないが、溶媒系接着剤、アクリル系水性接着剤、及び無溶媒接着剤を含む。複合フィルム及び紙層は、熱及び／又は化学的に硬化されていてもよい。フィルム及び紙層の少なくとも一方に、互いを組み合わせる前に印刷することができる。一実施形態では、ラミネート加工は、フィルム製造及び／又は任意の印刷における従来の変換の幅と同様、ウェブ幅で連続的に行うことができる。このような積層体は、溶融したフィルムを直接紙層に押出しすることにより、従来の押出し接着積層体製造プロセスに従って製造することができる。
【００４８】
パッケージブランク
本発明は、複数の物品を収容する実質的に平行六面体形状の可撓性ガセットパッケージであって、内部区画に面するフィルム層と紙層とを含む積層体を含む、パッケージの製造に適したパッケージブランクも提供する。
【００４９】
「マチ」とは、可撓性パッケージを強化及び／又は拡大することができる部材、例えば三角形の部材を意味する。可撓性パッケージが形成される積層体の延長部である場合、マチは、パッケージが形成される積層体を折り畳むことにより形成され、４枚重ね部分を有している。４枚重ね部分が熱シールされる必要がある場合、４枚重ね部分は、従来の自動化されたマチ付きポリマーフィルム袋の製造及び充填プロセスにおいて熱シールできない紙層のために、シールされないままとされる場合もある。本発明に係るパッケージブランクは、自動化されたガセット付きポリマーフィルム袋の製造及び充填操作の製造可能性を維持する一方で、熱シールできない天然又は天然様材料の使用を可能にする。
【００５０】
図３〜５は、フィルム層３４と紙層３６とを含む積層体３２からパッケージ１を製造及び形成するためのいっさいの折り曲げが行われる前の例示的なブランク２の平面図を示している。ブランク２はブランク長さＢＬを有し、ブランク長さＢＬに沿ったブランク側縁部２２４、第１のブランク長手方向縁部２２６、第２のブランク長手方向縁部２２７、第１のパネル２１、第２のパネル２２、第１のパネル２１と第２のパネル２２との間に配置された第３のパネル２３、第１のパネル２１に隣接し、第３のパネル２３の反対側に位置する第４のパネル２４、及び、第２のパネル２２に隣接し、第３のパネル２３の反対側に位置する第５のパネル２５を有している。
【００５１】
図１Ｂ、１Ｃ、及び３〜５を参照すると、第１のパネル２１は、パッケージ１の前面１４と第３及び第４の表面１２、１３のそれぞれの一部とを形成している。第２のパネル２２は、パッケージ１の後面１５と第３及び第４の表面１２、１３のそれぞれの一部とを形成している。第１のパネル２１と第２のパネル２２とは、第３及び第４の表面１２、１３の全体にわたって、第１及び第２の側部継ぎ目１２ａ、１３ａに沿って互いに接続される。第１及び第２の側部継ぎ目１２ａ、１３ａは、パッケージ１の第１の表面１０からパッケージ１の第２の表面１１まで延びている。一実施形態では、第１のパネル２１と第２のパネル２２とはほぼ同じ長さを有する。
【００５２】
図１Ｂ、１Ｃ及び３〜５を参照すると、第１のパネル２１と第２のパネル２２との間に配置された第３のパネル２３は、パッケージ１の第１の表面１０と一対の側部マチ１２ｂ、１３ｂとを形成している。各マチ１２ｂ、１３ｂの第１及び第２の内側表面１６、１７は、第３のパネル２３の三角形部分で形成されている。積層体３２からパッケージ１を製造するとき、エンドレスシートの形の積層体３２をそれ自体に重ねて何度も折り畳むことによって概ねＭ字状のフィルムを形成する。積層体３２を例えば図３〜５に示されるように第１、第２、及び中間の折り目２３１、２３２、２３３に沿って折り曲げる。第１、第２、及び中間の折り目２３１、２３２、２３３は機械方向に延びている。第３のパネル２３は、２本の外側折り目２３１、２３２によって画定されている。
【００５３】
引き続き図１Ｂ、１Ｃ、及び３〜５を参照すると、第４のパネル２４は、パッケージ１の第２の表面１１の一部と一対の閉じマチ１１ｂの一部とを形成している。第５のパネル２５は、パッケージ１の第２の表面１１の一部と一対の閉じマチ１１ｂの一部とを形成している。第４のパネル２４と第５のパネル２５とは、第２の表面１１において閉じ継ぎ目１１ａに沿って互いに接続される。図３〜５を参照すると、第４及び第５のパネル２４、２５のそれぞれは、フィルム層で本質的に構成され、パッケージブランクがパッケージに変換されるときに閉じ継ぎ目が形成される領域２６を含んでいる。第４のパネル２４内の領域２６は、第１の積層体長手方向縁部２２２と、ブランク側縁部２２４と、第１のブランク長手方向縁部２２６とによって囲まれている。第５のパネル２５内の領域２６は、第２の積層体長手方向縁部２２３と、ブランク側縁部２２４と、第２のブランク長手方向縁部２２７とによって囲まれている。一実施形態では、第４及び第５のパネル２４、２５のそれぞれはフィルム層で構成される。別の実施形態では、第４のパネル４及び第５のパネル２５のいずれか一方は他方よりも大きい長さを有する。
【００５４】
図３を参照すると、いくつかの実施形態では、ブランク２は、対向する陥凹ブランク側縁部２２４を有する第３のパネル２３を備えている。ブランク２がパッケージ１に変換されるとき、図１Ｂ、１Ｃ及び４を参照すると、パッケージ１は、側部継ぎ目１２ａ、１３ａが形成される領域に２枚重ね部分を有する側部マチ１２ｂ、１３ｂを備えている。
【００５５】
図４及び５を参照すると、いくつかの実施形態では、ブランク２は、ブランク側縁部２２４のそれぞれに隣接して、フィルム層で構成された領域２６を含む第３のパネル２３を備えている。これらの実施形態の１つでは、図４を参照すると、第３のパネル２３内の領域２６は、ブランク側縁部２２４と、フィルム側縁部２２８と、第３のパネル２３内の第１及び第２の折り目２３１、２３２とによって囲まれていてよい。別の実施形態では、図５を参照すると、第３のパネル２３はフィルムで構成される。これらの実施形態では、ブランク２がパッケージ１に変換されるとき、図１Ｂ及び１Ｃを参照すると、パッケージ１は、側部継ぎ目１２ａ、１３ａが形成される領域に４枚重ね部分を有する側部マチ１２ｂ、１３ｂを備えている。側部継ぎ目１２ａ、１３ａ内の４枚重ね部分は、第３のパネル２３からの２層の内側層と、それぞれ第１のパネル２１及び第２のパネル２２からの２層の外側層とを有している。
【００５６】
ウィケット袋
本発明は、本発明に係るパッケージの製造に適したウィケット袋を提供する。ウィケット袋は、ほぼ直方体の形状を有する折り畳まれていないパッケージ形態に変換することができる、ほぼ折り畳まれた平坦な形状を有する。ウィケット袋は、フィルム層と紙層とを含む積層体を含む。
【００５７】
図６Ａ及び６Ｂに示されるように、物品を袋に挿入して本発明のパッケージに変換する前に、袋をウィケット袋３として構成することができる。ウィケット袋３は、ウィケット袋長さＷＬ、並びに、ウィケット袋長さの方向に沿った第１及び第２のウィケット側縁部６２１、６２４を有している。第１の側部継ぎ目１２ａ及び第２の側部継ぎ目１３ａがウィケット側縁部に沿って形成されている。ウィケット袋３は、第１の側縁部及び第２の側縁部を有する第１のパネル２１と、第１のパネル２１の反対側に位置し、第１の側縁部及び第２の側縁部を有する第２のパネル２２と（第１のパネル２１と第２のパネル２２とは、第１及び第２の側縁部に沿って互いに接続されている）、第１のパネル２１と第２のパネル２２との間に配置され、第１の側縁部及び第２の側縁部を有する第３のパネル２３と、第１のパネル２１に隣接し、第３のパネル２３の反対側に位置する第４のパネル２４と、第２のパネル２２に隣接し、第３のパネル２３の反対側に位置する第５のパネル２５と、第５のパネル２５に隣接し、第３のパネル２３の反対側に位置するウィケットパネル６１２と、を備えている。ウィケット袋３において、第４及び第５のパネル２４、２５のそれぞれは、フィルム層で本質的に構成され、例えば図１Ｃに示されるように、ウィケット袋３がパッケージに変換されるときに閉じ継ぎ目が形成される領域２６を含んでいる。一実施形態では、第４及び第５のパネル２４、２５のそれぞれはフィルム層で構成される。
【００５８】
第１の側部継ぎ目１２ａは、第１及び第４のパネル２１、２４の第１の側縁部と、第２及び第５のパネル２２、２５の第１の側縁部とを接合する。第２の側部継ぎ目１３ａは、第１及び第４のパネル２１、２４の第２の側縁部と、第２及び第５のパネル２２、２５の第２の側縁部とを接合する。
【００５９】
引き続き図６Ａ及び６Ｂを参照すると、本発明のウィケット袋３は、ウィケット長さ方向に沿って延びる２枚重ね部分４０及び４枚重ね部分５０を備えている。２枚重ね部分４０は第１及び第２の層４１、４２を含み、４枚重ね部分５０は第１及び第２の外側層５１、５２と第１及び第２の内側層５３、５４とを含む。第１のパネル２１及び第２のパネル２２の一部である４枚重ね部分５０の第１及び第２の外側層５１、５２はそれぞれ、２枚重ね部分４０の第１及び第２の層４１、４２と同じ範囲に広がっているため、２枚重ね部分４０の第１の層４１と４枚重ね部分５０の第１の外側層５１とが第１のパネル２１を形成し、２枚重ね部分４０の第２の層４２と４枚重ね部分５０の第２の外側層５２とが第２のパネル２２を形成している。第３のパネル２３は、中間の折り目２３３において互いに出合う４枚重ね部分５０の第１及び第２の内側層５３、５４を形成している。各内側層５３、５４は、それぞれの第１及び第２の折り目においてそれぞれの隣接する外側層５１、５２につながっている。
【００６０】
ウィケットパネル６１２は、少なくとも１つのウィケット穴１７４を含み、各ウィケット穴６１４はウィケットを受容するように構成されている。図６Ａに示されるように、ウィケットパネル６１２は２個のウィケット穴１７４を含むことができる。ウィケットパネル６１２は第５のパネル２５の下縁部２２６を越えて延びることができるため、ウィケットパネル６１２は第５のパネル２５と重ならない。
【００６１】
いくつかの実施形態では、第３のパネル２３は、第１及び第２の側縁部のそれぞれに隣接して、第１及び第２の側部継ぎ目１２ａ、１３ａのそれぞれがそれぞれ形成される、フィルム層からなる領域を有する。実施形態のウィケット袋の構成は、ガセット付き熱可塑性フィルム袋を製造するための自動化されたプロセスとこれを使用した充填プロセスを用いて、フィルム層と紙層を含む積層体によってウィケット袋を製造することを可能とするものである。実施形態の１つでは、側縁部に隣接した領域の少なくとも一部がフィルム層で構成される。実施形態の１つでは、第３のパネル２３の側縁部全体に沿って、側縁部に隣接した領域がフィルム層で構成される。
【００６２】
他の実施形態では、第３のパネルの第１及び第２の側縁部は、第１の側部継ぎ目と第２の側部継ぎ目との間で陥凹する。別の言い方をすれば、４枚重ね部分５０において、第１及び第２の内側層は、第１及び第２の外側層の第１及び第２の側縁部よりも陥凹した第１及び第２の側縁部を有する。このような構成のウィケット袋もまた、ガセット付き熱可塑性フィルム袋の自動化された製造プロセスを用いて、フィルム層と紙層とを含む積層体によってウィケット袋を製造することを可能とするものである。
【００６３】
図１Ｂ及び６Ａを参照すると、ウィケット袋３において、第１のパネル２１は、パッケージ１の前面１４と第３及び第４の表面１２、１３のそれぞれの一部とを形成し、第２のパネル２２は、パッケージ１の後面１５と第３及び第４の表面１２、１３のそれぞれの一部とを形成している。第１のパネル２１と第２のパネル２２との間に配置された第３のパネル２３は、パッケージ１の第１の表面１０と一対の側部マチ１２ｂ、１３ｂとを形成し、第４のパネル２４は、パッケージ１の第２の表面１１の一部と一対の閉じマチ１１ｂとを形成し、第５のパネル２５は、パッケージ１の第２の表面１１の一部と一対の閉じマチ１１ｂとを形成している。第４のパネル２４と第５のパネル２５とは、第２の表面１１において閉じ継ぎ目１１ａに沿って互いに接続される。第４及び第５のパネル２４、２５のそれぞれは、フィルム層で本質的に構成され、パッケージブランクがパッケージに変換されるときに閉じ継ぎ目が形成される領域２６を含んでいる。
【００６４】
開口端４８から物品を挿入することにより、ウィケット袋３に吸収性物品などの物品を充填することができる。図１Ａに示されるものと同様の開口袋を形成するようにウィケット袋３が開かれて物品が充填されたなら、袋４に関して上記に述べたようにして、第４及び第５のパネル２４、２５を適当に折り曲げて閉じマチ１１ｂ及び閉じ継ぎ目１１ａを形成することによって、開口端４８を閉じることができる。更に、ウィケットパネル６１２を第５のパネル２５から切り離して、図１Ｂ及び１Ｃに示されるようなパッケージ１を形成することができる。いくつかの例示的な構成では、閉じ継ぎ目１１ａを形成する工程と、ウィケットパネル６１２を切断する工程とは同時に行うことができる。他の例示的な構成では、閉じ継ぎ目１１ａを形成する工程と、ウィケットパネル６１２を切断する工程とは順次行うことができる。
【００６５】
バッグ内スタック高さ試験
吸収性物品のパッケージのバッグ内スタック高さは、以下のとおりに判定する。
【００６６】
機器
平坦な剛性の水平スライディングプレートを備えた厚さテスタが使用される。厚さテスタは、水平スライディングプレートが平坦な剛性の水平ベースプレートの直ぐ上で水平の配向に常に維持された状態で、水平スライディングプレートが垂直方向に自由に移動するように構成される。厚さテスタは、水平スライディングプレートと水平ベースプレートとの間の間隙を±０．５ｍｍ以内で測定するのに好適な装置を含む。水平スライディングプレート及び水平ベースプレートは、各プレートと接触する吸収性物品パッケージの表面よりも大きい（すなわち、全ての方向で各プレートは吸収性物品パッケージの接触表面を越えて延在する）。水平スライディングプレートは、８．３４Ｎ（８５０±１重量グラム）の下向きの力を吸収性物品パッケージに掛けるが、これは、水平スライディングプレートのパッケージに接触しない上面の中央に好適な重しを置いて、スライディングプレートの合計質量に付加重量を足したものが８５０±１グラムとなるようにすることによって達成されてもよい。
【００６７】
試験手順
吸収性物品パッケージを、測定前に、２３±２℃及び５０±５％の相対湿度で平衡化する。
【００６８】
水平スライディングプレートを上げ、パッケージ内の吸収性物品が水平方向になるような形で、吸収性物品パッケージを水平スライディングプレートの下で中央に配置する（図２参照）。プレートのどちらかに接触するであろうパッケージの表面上にある任意のハンドル又は他のパッケージング機構を、パッケージの表面に対して平坦に折り重ねることで、測定に対する影響を最小限にする。水平スライディングプレートを、パッケージの上面に接触するまでゆっくり下げてから、解放する。水平スライディングプレートを解放してから１０秒後に、水平プレート間の間隙を±０．５ｍｍ以内で測定する。５つの同一パッケージ（同じサイズのパッケージ及び同じ吸収性物品数）を測定し、算術平均をパッケージ幅として報告する。「バッグ内スタック高さ」＝（パッケージ幅／１スタック当たりの吸収性物品数）×１０を計算し、±０．５ｍｍ以内で報告する。
【００６９】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば、「４０ｍｍ」として開示される寸法は、「約４０ｍｍ」を意味するものとする。
【００７０】
あらゆる相互参照される又は関連する特許若しくは出願を含む、本明細書に引用される全ての文書は、明示的に除外される、又は別途限定されない限り、参照によりその全体が本明細書に組み込まれる。いかなる文献の引用も、本明細書中で開示又は特許請求される任意の発明に対する先行技術であるとはみなされず、又はそれを単独で若しくは任意の他の参考文献と組み合わせたときに、そのような任意の発明を教示、示唆、又は開示するとはみなされない。更に、本文書における用語の任意の意味又は定義が、参照として組み込まれた文献内の同じ用語の任意の意味又は定義と矛盾する場合、本文書においてその用語に付与された意味又は定義が優先される。
【００７１】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１Ａ】
2019059552.tif 000003
【図１Ｂ】
2019059552.tif 000004
【図１Ｃ】
2019059552.tif 000005
【図２】
2019059552.tif 000006
【図３】
2019059552.tif 000007
【図４】
2019059552.tif 000008
【図５】
2019059552.tif 000009
【図６Ａ】
2019059552.tif 000010
【図６Ｂ】
2019059552.tif 000011